(57)【要約】      （修正有）【課題】折り曲げ可能な剛性のあるシート材を打ち抜き、折り筋に沿って折り曲げるだけで、ディスクの収納、取り出し性が簡単で、ディスクのケースへの係止固定に優れ、ディスク記録面への擦り傷防止機能を有したコンパクトディスクケースの提供。【解決手段】収納面１の相対する端辺に折り筋１６、１７を介して係止片を延設して折り曲げ、係止片に切り込み１２をもうけ、別の係止片に谷折り筋をもうけ、谷折り筋に切り込みをもうけ、収納時、ベロ部９が折り筋１７、１８の角度の変化に合わせて変化する。【選択図】図５
2012148783.tif 000002
【特許請求の範囲】
【請求項１】
折り曲げ可能な剛性のあるシート材料から作成され、蓋面２と少なくとも一つの収納面１からなるコンパクトディスク用ケースであって、
前記収納面１の相対する端辺に折り筋１６、１７を介してディスク縁端部を差し込み係止するための係止片４、５を延設し収納面１の上に折り曲げ、
係止片４の下縁部中央にはディスクＤ収納時最初にディスク縁端部を差し込む切り込み１２を有し、
係止片５の下縁部には折り筋１７に平行して山折り筋１８と、折り筋１８の先には、折り筋１７と折り筋１８の距離より短い距離に谷折り筋１９を有し、
谷折り筋１９の中央にはディスクＤ収納時、後から反対側のディスク縁端部を差し込む切り込み１３を有し、
ディスクＤ収納時、ディスクＤと収納面１の間に係止片５のベロ部９が収納面１上で折り筋１７、１８、１９の折り角度の変化に合わせて自由に移動するようになっている事を特徴とするコンパクトディスク用ケース。
【請求項２】
係止片４、５の先端に谷折り筋２０、２１を介して、ディスク持ち上げ片１０、１１を
延設してある事を特徴とする請求項１記載のコンパクトディスク用ケース。
【発明の詳細な説明】
【技術分野】
【０００１】
折り曲げ可能な剛性シート材料を打ち抜き、折り筋を折り曲げるだけで完成するコンパクトディスク用ケースに関する。
【背景技術】
【０００２】
ＣＤ（コンパクトディスク）や、ＤＶＤ（デジタルバーサタイルディスク）などのディスクケースは様々な形態、材質のものがある。なかでも５ｍｍ厚みの１２ｃｍＣＤ／DVD用ポリスチレン製ケースはコンパクトでディスク保護機能も高いため大量に使われている。又、厚みが５ｍｍしかないため、ケースに納めたディスクを保管する際、場所をとらず便利である。しかし、プラスチック成形品であるため、ケースの廃棄問題や、背表紙部を含めたケース外観表面に鉛筆やボールペンなどの筆記具でディスクの内容を直接書き込んだり、印刷する事は出来ず、また複数ののプラスチック成形部品から組み立ててあるため、落下時、部品の破損や組み立て部が外れるなどの問題点を有していた。又、重量もあり、廃棄にはプラスチックとしての問題点を有し、多数枚収納ケースをこのプラスチックケースで作ろうとするとかなりの厚みにならざるを得なかった。
【０００３】
一方、紙を折り曲げて封筒状にしたり、ポケットを設けたりして、その中にディスクを入れるケースもある。しかしディスクの出し入れが簡単な封筒やポケットでは、その内でディスクが移動し記録面に傷を付け、傷を付けないようにタイトな封筒やポケット幅にすれば、その結果、ディスクの出し入れはいささか困難となる。又、封筒状やポケットにするために接着剤の使用はまぬがれず、製造コスト上も、環境対策上も折角のケースの紙化による環境対策上のメリットに対してマイナスとなっている。
【０００４】
これに対して、封筒でもポケットでもない方式（特許文献１）が提案されている。しかし、この方式では特許文献１中に示す連結片１２、２２、特に連結片１２ａに連結する連結片１２ｂは底壁１に重合貼着されており、連結片１２ｂは自由に動く事はできない。従ってディスクの出し入れには特許文献１中の図４に示されているごとく、ケース全体を弓状にしならせなければ入らず、又ディスクを出すときは特許文献１中の図１や図３に示されるＣＤ押し上げ突部１６を指でおしてやらねばならない。又、当然、特許文献１に示すやり方では、上記  ディスクの出し入れは片手で行える作業ではなく、ディスクの出し入れは簡単とは言い難い。また折角紙で作りながら接着剤が必要であり、作業コスト、環境対策上も悪いなど、まだ多くの問題点を抱えている。
【特許文献１】特開平９−２８６４８０
【発明の開示】
【発明が解決しようとする課題】
【０００５】
本発明が解決しようとしている課題は以下の如くである。即ち、打ち抜いた１枚のシートを折り曲げるだけで簡単に完成させることが出き、ディスクの出し入れが簡単かつディスクのホールド性が高く、しかもディスク記録面の擦り傷防止機能も有するディスクケースを提供することにある。
【課題を解決するための手段】
【０００６】
第一の課題解決手段は、折り曲げ可能な剛性のあるシート材料から作成され、蓋面２と少なくとも一つの収納面１からなるコンパクトディスク用ケースであって、
前記収納面１の相対する端辺に折り筋１６、１７を介してディスク縁端部を差し込み係止するための係止片４、５を延設し収納面１の上に折り曲げ、
係止片４の下縁部中央にはディスクＤ収納時最初にディスク縁端部を差し込む切り込み１２を有し、
係止片５の下縁部には折り筋１７に平行して山折り筋１８と、折り筋１８の先には、折り筋１７と折り筋１８の距離より短い距離に谷折り筋１９を有し、
谷折り筋１９の中央にはディスクＤ収納時、後から反対側のディスク縁端部を差し込む切り込み１３を有し、
ディスクＤ収納時、ディスクＤと収納面１の間に係止片５のベロ部９が収納面１上で折り筋１７、１８、１９の折り角度の変化に合わせて自由に移動するようになっている事を特徴とするコンパクトディスク用ケースとする。
第二の課題解決手段は、係止片４、５の先端に谷折り筋２０、２１を介して、ディスク持ち上げ片１０、１１を延設してある事を特徴とする請求項１記載のコンパクトディスク用ケースとする。
【発明の効果】
【０００７】
本発明によれば、接着剤などを一切使うことなく、打ち抜いた紙等のシート材を折筋に従い折り曲げるだけでCD／ＤＶＤ用ディスクケースを簡単に組み立てる事が出きる。ディスクの対抗する両端縁部を、組み立てたケースの係止片４、５の切り欠き１２、１３に差し込み、山折りになった折り筋１８をディスク側に指で押せば簡単にディスク固定機能が働き、ケースの蓋を閉めないでも、ディスクは落下する事はなく固定される。この事はディスクの収納状態から蓋を開けた時に不用意にディスクが落下する心配がない事を意味している。ディスク取り出し時にはこの反対動作で簡単に係止片５側のディスクはポップアップしてくる。ディスクの収納、取り出しがかくも簡単確実に行えるのは係止片５を構成するベロ部９がディスクの下、収納面１の上に位置した状態で自由に移動出きるようになっているからである。この結果、ケース全体を弓なりに反らさずに山折りになった折り筋１８又は押し面６をディスク側に押せばディスクが係止され、係止状態から折り筋１８を引き起こせばディスクがポップアップしてくるという機能を果たす。
【０００８】
また、相対する係止片４、５の先端にディスク持ち上げ片１０、１１を折り筋２０、２１から折り曲げ、ディスク中央の無記録域に当たるように配することで、ディスクは切り欠き１２、１３に接するディスク端縁と先述のディスク持ち上げ片１０、１１によって支えられようになり、従来の紙製ディスクケースに比べディスク記録面の擦り傷を大幅に改善することが出きる。
【０００９】
更に、蓋２、折り返し３を背表紙１４、１５を介して収納面１に延設し、蓋差込み片２６を収納面１に設けた蓋係止穴２７に差し込めば、ディスクの収納は更に完璧なものとなる。またシート材を紙とすれば背表紙を含めた全ての面にディスクのタイトルを記入する事ができ、保管時のディスクの整理、ディスク探し時に大変便利である。従来のプラスチック成形ケースに比べ紙製ケースの大幅な利点である。又、収納面１の蓋２の反対辺に収納面２、３と複数繋げることにより簡単に多数枚入れも作る事が可能である。
【００１０】
以上のごとく、本発明によれば、プラスチック成形ディスクケースよりディスクの出し入れが簡単でありながら、ディスクはしっかり固定され、ディスク記録面に対する擦り傷は従来の紙製ディスクに比べ大幅に改善され、落下してもプラスチックケースのよいに割れず、紙の特性である表面への筆記性、印刷適性を保持した、限りなくプラスチック成形ディスクケースに近い外観の紙製ディスクケースが得られる。  
【００１１】
従来の紙製ディスクと比べても、１枚の厚紙を打ち抜き、折り筋に沿って折り曲げるだけでケースは完成するようになっており、接着や固定作業は不要で安価、簡単に生産可能となる。紙製ディスクケースで、ただ折り畳んだだけの接着なしのものもあるが、そういうものはしっかりとしたディスク固定機能は持たず、蓋を開けたらディスクが落下してしまうような簡易タイプしか従来はない。
【発明を実施するための最良の形態】
【００１２】
図１はディスク１枚入れの本実施形態の展開図を示す。シートは坪量３１０g／ｍ２のコート紙を使用。実戦は切断を点線は折り筋を示す。
【００１３】
図２は、図１の折り筋全てをディスクの収納直前状態に折り返した時の斜視図である。即ち、図２はケースとしての組み立て終了図である。図は見やすくするため、紙の厚みは無視した。これ以降の斜視図では全て紙の厚みは無視して表示する。
【００１４】
図３は、図２の状態に於いて、ディスクＤの適当な縁端部を係止片４の円弧状切り込み１２に差込み、ディスクＤ反対側縁端部を、係止片５のベロ部９に乗せた状態を示している斜視図である。即ち、これがディスクＤ収納の第一動作である。本発明には蓋２は直接は関係していないので、本図３では、蓋２及びその上の部分を省略している。以降、蓋２は適宜省略している。
【００１５】
図４は、図３の状態からもう一方のディスクＤ縁端部が係止片５の円弧状切り込み１３に仮止めされた状態を示す斜視図である。図３から図４への状態変化は必須なものではなく、折り筋の入れ加減により、図２の状態にディスクＤの左縁端部を切り込み１２に差込み、ディスクＤを収納面側に倒すと同時に図３状態を飛び越し図４の状態に自然になってしまう場合が多い。
【００１６】
図５は図３、図４の状態から係止片５の折り筋１８又は押し面６を指でディスクＤ側に押し倒した状態を示す斜視図である。この状態でディスクＤは相対する縁端部が係止片４、５の切り込み１２、１３に差し込まれ係止された状態となる。即ち、切り込み１２、１３の切り込み幅（長さ）はこの図５の状態で余裕のないジャストサイズであることが好ましい。図５から分かる事は、まず本図のディスク左側縁端部は切り込み１２に差し込まれて自由な動きは止められており、係止片４の切り込み１２を除くベロ部８の先頭部はディスクＤの下敷きになって自由な動きをディスクＤ自身により止められている事が分かる。
【００１７】
又、本図５のディスク右側縁端部は係止片５の切り込み１３を突き進み折り筋１７まで達しているため、本図では分かりにくいがディスクＤを上面に持ちお上げようとしても係止片５のベロ部９はディスクＤに押さえつけられており、ディスクＤを持ち上げない係止機構が働く。ただし、折り筋１８を上に持ち上げればこの係止機構は簡単に解除され、ディスクＤはポップアップしてくる。この係止機構は次図６に詳細説明する。
【００１８】
図６は図４及び図５のそれぞれＸ−Ｘ、及びＹ−Ｙ断面図を示す。図４又は図６Ｘ−Ｘ断面図に於いて、折り筋１８又は押し面６を指でディスクＤ面側に押し倒すと、図５又は図６Ｙ−Ｙ断面図の状態に変化する。折り筋１８又は面６を指で矢印方向に押し倒すと、折り筋１９上に配置された面７の切り込み１３側端辺がディスク縁端部を図中の下方に押込み、ディスク面側に面６、７共に倒れ込む。それと同時にベロ部９は図中の左方向へ移動せざるを得ない。即ち、ベロ９は収納面１に接着貼付してはならない事が理解できよう。逆に係止片４の先端ベロ部８は機構上、ベロ部９のように大きく動くことはないので、収納面１に固定していない事は必須ではないことが分かる。ただし、接着する事なしに組み立て可能であればその方が好ましく、本実施例ではベロ部８の収納面１への接着貼付はしていない。以上の事が図４、５、６から理解できよう。尚、図６に於いてのみ紙厚みを断面として示した。又、本発明機構からして、面６は指で押す事が出来、面７端辺ははディスクＤ右縁端を収納面１に向け押し下げる適度な剛性を必要としているため、折り曲げ可能な剛性がシートに必要である事が理解できよう。  
【００１９】
以上、図４、５、６により、ディスクＤの縁端部を最初に切り込み１２に差込、ディスクＤが収納面方向に倒れ込むと、該ディスク縁端部は係止片４のベロ部８の下縁部（切り込み１２と折り筋１６の間）と収納面１との間に挟まれ、かつ折り筋１６にドン付けとなっており図中ケースの左側には動けず、勿論、上にも動けないよう固定状態である事が分かる。一方図６Ｙ−Ｙ断面図ではディスクＤの図中右縁端部は係止片５の面６、７に上への動きを封鎖され、右への動きも封鎖され、係止状態が固定されている事が理解できる。
【００２０】
又、図４、５、６から、ディスクＤをケースに対して上、左右または前後に移動させようとしても固定されているが、係止片５の折り筋１８を折り筋１７を支点にして指で上方向に持ち上げれば図６Ｘ−Ｘ断面図の状態の係止解除に簡単に移行する事が理解できよう。
【００２１】
係止片４、５の先端には折り筋２０、２１を介してディスク持ち上げ片１０、１１が延設されており、図６Ｙ−Ｙ断面図から、ディスクＤは持ち上げ片１０、１１により浮かされている事が分かる。この事により、従来の紙製ディスクケースでのディスク記録面への擦り傷対策になっている事が理解出来よう。
【００２２】
図７は図５のディスク係止状態で、図１、図２に示す蓋２でディスク面を覆い、収納面１の裏面にて折り返し蓋３の先端の蓋差込み片２６を蓋係止穴２７に差し込んで蓋を係止した斜視図を示す。背表紙１４、１５を含めた全ての面にディスク内容を直接記すことが出来、保管時大変便利である。特に狭幅の背表紙１４、１５にタイトル等を記す時は、本発明によるケースを背表紙ごと机など平面部に広げた状態で筆記具を使用でき大変便利である。図７から分かる通り、蓋締めが終了すると、まるでプラスチックケースの紙版が完成したように見え、紙の暖かい感触とともに優れた機能を有する紙製ディスクケースの出来上がりである。
【００２３】
図８は本発明によるディスク２枚を収納可能なケースの展開平図面である。機能はディスク１枚入れと全く同じであるため省略するが、３枚入れ以上も同じ事であるのは理解されよう。また、係止片５の折り返し部は係止片４より厚くなるため、係止片４、５を適宜入れ替えて全体の厚み調整を計っても良い。尚、背表紙１４、１５の厚みは、ディスク複数枚入れは収納枚数に応じて、適宜調整される事は当然である。又、複数枚収納タイプは図８に示す通り、蓋係止穴２６は最後の収納面にのみ付与することになる。尚、本発明は蓋及び蓋締め方式を何ら特定するものではなく、いくつかの蓋締め方式があって良い事は勿論である。
【図面の簡単な説明】
【００２４】
【図１】展開平面図
【図２】ケース組み立て終了図
【図３】ディスク収納開始斜視図
【図４】ディスク仮止め斜視図
【図５】ディスク係止完了斜視図
【図６】図４、５の断面図
【図７】蓋締め終了斜視図
【図８】ディスク２枚収納仕様の展開平面図である。
【符号の説明】
【００２５】
Ｄ          ディスク  
１          収納面
２          蓋
３          折り返し蓋  
４、５      係止片
６          係止片５下縁部
７          係止片５押し面
８          係止片４ベロ部
９          係止片５ベロ部
１０、１１    ディスク持ち上げ片
１２、１３    切り込み（ディスク差込口）
１４、１５    背表紙
１６〜２５    折り筋
２６          蓋差込片
２７          蓋係止穴
【図１】
2012148783.tif 000003
【図２】
2012148783.tif 000004
【図３】
2012148783.tif 000005
【図４】
2012148783.tif 000006
【図５】
2012148783.tif 000007
【図６】
2012148783.tif 000008
【図７】
2012148783.tif 000009
【図８】
2012148783.tif 000010